(57)【要約】【課題】  ユーザの利便性を低下させることなくユーザデータをロストする可能性を低減させる。【解決手段】  情報記録媒体の半径位置に応じて記録線速度を変化させながら当該情報記録媒体にレーザ光を照射して情報の記録を行う情報記録方法において、記録条件などが予め登録されていない未知の媒体に対して記録を行う場合には（Ｓ５のＮ）、試し書き処理時（Ｓ１０）に用いた所定の線速度による線速度一定方式により当該情報記録媒体に対して情報の記録を行わせるように記録条件を設定する（Ｓ１２）ことで、当該試し書き処理時の所定の線速度での記録パワーは適正に求められているので、当該情報記録媒体のデータ領域全域に亘って記録品質を保って安全に記録することができ、ユーザデータのロストの可能性を低減させることができるようにした。【選択図】    図４
2005149597.tif 000002
【特許請求の範囲】
【請求項１】
情報記録媒体の半径位置に応じて記録線速度を変化させながら当該情報記録媒体にレーザ光を照射して情報の記録を行う情報記録方法において、
記録前に前記情報記録媒体に対して所定の線速度による線速度一定方式により試し書きを行い最適記録パワーを求める試し書き処理工程と、
記録対象となる前記情報記録媒体が記憶部に登録されていない未知の媒体であるか否かを判定する判定工程と、
前記情報記録媒体が未知の媒体であると判定された場合には、前記試し書き処理工程で用いた前記所定の線速度による線速度一定方式により当該情報記録媒体に対して情報の記録を行わせる記録条件設定工程と、
を備えることを特徴とする情報記録方法。
【請求項２】
前記試し書き処理工程で用いる前記所定の線速度は、当該方法が適用される情報記録装置における線速度一定方式での最大線速度である、ことを特徴とする請求項１記載の情報記録方法。
【請求項３】
前記記録条件設定工程は、
前記情報記録媒体の種類を判定する媒体種類判定工程と、
判定された媒体種類に応じて、当該情報記録媒体を、前記所定の線速度による線速度一定方式で回転させるか、媒体種類により決定される記録方式における最大記録速度で回転させるかを選択し設定する選択設定工程と、
を備えることを特徴とする請求項１又は２記載の情報記録方法。
【請求項４】
前記選択設定工程における選択は、ユーザの選択操作に基づき行う、ことを特徴とする請求項３記載の情報記録方法。
【請求項５】
前記選択設定工程における選択は、予めユーザにより設定登録された選択情報に基づき行う、ことを特徴とする請求項３記載の情報記録方法。
【請求項６】
情報記録媒体の半径位置に応じて記録線速度を変化させながら当該情報記録媒体にレーザ光を照射して情報の記録を行う情報記録装置において、
記録前に前記情報記録媒体に対して所定の線速度による線速度一定方式により試し書きを行い最適記録パワーを求める試し書き処理手段と、
記録対象となる前記情報記録媒体が記憶部に登録されていない未知の媒体であるか否かを判定する判定手段と、
前記情報記録媒体が未知の媒体であると判定された場合には、前記試し書き処理手段で用いた前記所定の線速度による線速度一定方式により当該情報記録媒体に対して情報の記録を行わせる記録条件設定手段と、
を備えることを特徴とする情報記録装置。
【請求項７】
前記試し書き処理手段で用いる前記所定の線速度は、当該装置における線速度一定方式での最大線速度である、ことを特徴とする請求項６記載の情報記録装置。
【請求項８】
前記記録条件設定手段は、
前記情報記録媒体の種類を判定する媒体種類判定手段と、
判定された媒体種類に応じて、当該情報記録媒体を、前記所定の線速度による線速度一定方式で回転させるか、媒体種類により決定される記録方式における最大記録速度で回転させるかを選択し設定する選択設定手段と、
を備えることを特徴とする請求項６又は７記載の情報記録装置。
【請求項９】
前記選択設定手段における選択は、ユーザの選択操作に基づき行う、ことを特徴とする請求項８記載の情報記録装置。
【請求項１０】
前記選択設定手段における選択は、予めユーザにより設定登録された選択情報に基づき行う、ことを特徴とする請求項８記載の情報記録装置。
【請求項１１】
情報記録媒体の半径位置に応じて記録線速度を変化させながら当該情報記録媒体にレーザ光を照射して情報の記録を行う情報記録装置が備えるコンピュータにインストールされ、当該コンピュータに、
記録前に前記情報記録媒体に対して所定の線速度による線速度一定方式により試し書きを行い最適記録パワーを求める試し書き処理機能と、
記録対象となる前記情報記録媒体が記憶部に登録されていない未知の媒体であるか否かを判定する判定機能と、
前記情報記録媒体が未知の媒体であると判定された場合には、前記試し書き処理機能で用いた前記所定の線速度による線速度一定方式により当該情報記録媒体に対して情報の記録を行わせる記録条件設定機能と、
を実行させる情報記録用プログラム。
【請求項１２】
前記試し書き処理機能で用いる前記所定の線速度は、当該情報記録装置における線速度一定方式での最大線速度である、ことを特徴とする請求項１１記載の情報記録用プログラム。
【請求項１３】
前記記録条件設定機能は、
前記情報記録媒体の種類を判定する媒体種類判定機能と、
判定された媒体種類に応じて、当該情報記録媒体を、前記所定の線速度による線速度一定方式で回転させるか、媒体種類により決定される記録方式における最大記録速度で回転させるかを選択し設定する選択設定機能と、
を前記コンピュータに実行させる請求項１１又は１２記載の情報記録用プログラム。
【請求項１４】
前記選択設定機能における選択は、ユーザの選択操作に基づき行う、ことを特徴とする請求項１３記載の情報記録用プログラム。
【請求項１５】
前記選択設定機能における選択は、予めユーザにより設定登録された選択情報に基づき行う、ことを特徴とする請求項１４記載の情報記録用プログラム。
【請求項１６】
情報記録媒体の半径位置に応じて記録線速度を変化させながら当該情報記録媒体にレーザ光を照射して情報の記録を行う情報記録装置が備えるコンピュータに読取り可能であって、請求項１１ないし１５の何れか一記載の情報記録用プログラムが格納された記憶媒体。
【発明の詳細な説明】
【技術分野】
【０００１】
本発明は、情報記録媒体の半径位置に応じて記録線速度を変化させながら当該情報記録媒体にレーザ光を照射して情報の記録を行う情報記録方法、情報記録装置、情報記録用プログラム及び記憶媒体に関する。
【背景技術】
【０００２】
一般に、光ディスク記録装置の記録速度は、レーザパワー、レーザ時定数、スピンドルモータ回転数、ＬＳＩ処理能力等により制限を受ける。特に、スピンドル回転数で記録速度が制限を受ける場合には、ＣＬＶ方式（Constant Linear Velocity＝線速度一定方式)で記録をすると、情報記録媒体上の記録半径位置が大きくなるに従ってスピンドルモータ回転数に余裕が出る。このため記録速度の高速化のために半径位置毎に幾つかのゾーンに分けてそのゾーンの中でＣＬＶ方式で記録を行うＺＣＬＶ方式やスピンドル回転数を常に一定にして記録するＣＡＶ方式(Constant Angular Velocity＝角速度一定方式)などが用いられる。
【０００３】
これらの記録方式を用いた場合の線速、スピンドルモータ回転数、記録パワーの関係を図１０の模式図に示す。
【０００４】
図１０から判るように、ＺＣＬＶ方式で記録を行う場合、ゾーンの境界でパワーが不連続に変化する。ＣＡＶ方式で記録を行う場合も記録中のパワー校正（Ｒ−ＯＰＣ）では補正が十分でないほど急激に必要パワーが変化する。そのため、ゾーン切換え時のパワー変化の方法やＣＡＶ方式におけるパワーを変化させる方法は予め光ディスク記録装置のメモリに格納されている。
【０００５】
また、光ディスク記録装置では、各情報記録媒体に対して、その製造・販売業者（ベンダ）や媒体の種類に応じて、記録時に適正と考えられるパワー及びパルスパターンが予めメモリ上に記録してある（図２、図３参照）。ユーザが情報記録媒体を光ディスク記録装置に挿入した場合、これらのメモリ上から検索された適合するパルスパターンとパワーとを用いて最適記録パワーを求めるための試し書きＯＰＣ処理を行い、最適記録パワーを設定してから記録を開始する。挿入された情報記録媒体がメモリマップ上に見つからない場合は、ディフォルトのパルスパターンやパワーを用いる方法、情報記録媒体に記録されている情報を元に生成されたパルスパターンやパワーを用いる方法等を用いて記録を行う。何れにしても、実際の記録パワーはメモリやディスク情報から得られた値を元にＯＰＣ処理を行うことにより求める。このようにＯＰＣ処理により算出決定された最適記録パワーを用いて記録を行うことで十分な記録品質を得ることができる。
【発明の開示】
【発明が解決しようとする課題】
【０００６】
ところが、対象となる情報記録媒体に関してベンダ情報がメモリに存在しなかったり、メモリからベンダ情報取得が不可といった、当該光ディスク記録装置にとって未知な媒体に対してＺＣＬＶ方式やＣＡＶ方式で記録を行おうとする場合、ゾーンの切換え点やＣＡＶ方式での記録時に線速度に連動してどのようにパワーを変化させるべきかという情報がメモリ上にないために、記録時のレーザパワーが適正でなくなる箇所が出てくる可能性がある。そのような場所では記録品質が十分ではなくユーザのデータを失ってしまう可能性がある。
【０００７】
本発明の目的は、ユーザの利便性を低下させることなくユーザデータをロストする可能性を低減させることである。
【課題を解決するための手段】
【０００８】
請求項１記載の発明は、情報記録媒体の半径位置に応じて記録線速度を変化させながら当該情報記録媒体にレーザ光を照射して情報の記録を行う情報記録方法において、記録前に前記情報記録媒体に対して所定の線速度による線速度一定方式により試し書きを行い最適記録パワーを求める試し書き処理工程と、記録対象となる前記情報記録媒体が記憶部に登録されていない未知の媒体であるか否かを判定する判定工程と、前記情報記録媒体が未知の媒体であると判定された場合には、前記試し書き処理工程で用いた前記所定の線速度による線速度一定方式により当該情報記録媒体に対して情報の記録を行わせる記録条件設定工程と、を備える。
【０００９】
請求項２記載の発明は、請求項１記載の情報記録方法において、前記試し書き処理工程で用いる前記所定の線速度は、当該方法が適用される情報記録装置における線速度一定方式での最大線速度である。
【００１０】
請求項３記載の発明は、請求項１又は２記載の情報記録方法において、前記記録条件設定工程は、前記情報記録媒体の種類を判定する媒体種類判定工程と、判定された媒体種類に応じて、当該情報記録媒体を、前記所定の線速度による線速度一定方式で回転させるか、媒体種類により決定される記録方式における最大記録速度で回転させるかを選択し設定する選択設定工程と、を備える。
【００１１】
請求項４記載の発明は、請求項３記載の情報記録方法において、前記選択設定工程における選択は、ユーザの選択操作に基づき行う。
【００１２】
請求項５記載の発明は、請求項３記載の情報記録方法において、前記選択設定工程における選択は、予めユーザにより設定登録された選択情報に基づき行う。
【００１３】
請求項６記載の発明は、情報記録媒体の半径位置に応じて記録線速度を変化させながら当該情報記録媒体にレーザ光を照射して情報の記録を行う情報記録装置において、記録前に前記情報記録媒体に対して所定の線速度による線速度一定方式により試し書きを行い最適記録パワーを求める試し書き処理手段と、記録対象となる前記情報記録媒体が記憶部に登録されていない未知の媒体であるか否かを判定する判定手段と、前記情報記録媒体が未知の媒体であると判定された場合には、前記試し書き処理手段で用いた前記所定の線速度による線速度一定方式により当該情報記録媒体に対して情報の記録を行わせる記録条件設定手段と、を備える。
【００１４】
請求項７記載の発明は、請求項６記載の情報記録装置において、前記試し書き処理手段で用いる前記所定の線速度は、当該装置における線速度一定方式での最大線速度である。
【００１５】
請求項８記載の発明は、請求項６又は７記載の情報記録装置において、前記記録条件設定手段は、前記情報記録媒体の種類を判定する媒体種類判定手段と、判定された媒体種類に応じて、当該情報記録媒体を、前記所定の線速度による線速度一定方式で回転させるか、媒体種類により決定される記録方式における最大記録速度で回転させるかを選択し設定する選択設定手段と、を備える。
【００１６】
請求項９記載の発明は、請求項８記載の情報記録装置において、前記選択設定手段における選択は、ユーザの選択操作に基づき行う。
【００１７】
請求項１０記載の発明は、請求項８記載の情報記録装置において、前記選択設定手段における選択は、予めユーザにより設定登録された選択情報に基づき行う。
【００１８】
請求項１１記載の発明の情報記録用プログラムは、情報記録媒体の半径位置に応じて記録線速度を変化させながら当該情報記録媒体にレーザ光を照射して情報の記録を行う情報記録装置が備えるコンピュータにインストールされ、当該コンピュータに、記録前に前記情報記録媒体に対して所定の線速度による線速度一定方式により試し書きを行い最適記録パワーを求める試し書き処理機能と、記録対象となる前記情報記録媒体が記憶部に登録されていない未知の媒体であるか否かを判定する判定機能と、前記情報記録媒体が未知の媒体であると判定された場合には、前記試し書き処理機能で用いた前記所定の線速度による線速度一定方式により当該情報記録媒体に対して情報の記録を行わせる記録条件設定機能と、を実行させる。
【００１９】
請求項１２記載の発明は、請求項１１記載の情報記録用プログラムにおいて、前記試し書き処理機能で用いる前記所定の線速度は、当該情報記録装置における線速度一定方式での最大線速度である。
【００２０】
請求項１３記載の発明は、請求項１１又は１２記載の情報記録用プログラムにおいて、前記記録条件設定機能は、前記情報記録媒体の種類を判定する媒体種類判定機能と、判定された媒体種類に応じて、当該情報記録媒体を、前記所定の線速度による線速度一定方式で回転させるか、媒体種類により決定される記録方式における最大記録速度で回転させるかを選択し設定する選択設定機能と、を前記コンピュータに実行させる。
【００２１】
請求項１４記載の発明は、請求項１３記載の情報記録用プログラムにおいて、前記選択設定機能における選択は、ユーザの選択操作に基づき行う。
【００２２】
請求項１５記載の発明は、請求項１４記載の情報記録用プログラムにおいて、前記選択設定機能における選択は、予めユーザにより設定登録された選択情報に基づき行う。
【００２３】
請求項１６記載の発明の記憶媒体は、情報記録媒体の半径位置に応じて記録線速度を変化させながら当該情報記録媒体にレーザ光を照射して情報の記録を行う情報記録装置が備えるコンピュータに読取り可能であって、請求項１１ないし１５の何れか一記載の情報記録用プログラムを格納している。
【発明の効果】
【００２４】
請求項１，６，１１，１６記載の発明によれば、記録条件などが予め登録されていない未知の媒体に対して記録を行う場合には、試し書き処理時に用いた所定の線速度による線速度一定方式により当該情報記録媒体に対して情報の記録を行わせるように記録条件を設定することで、当該試し書き処理時の所定の線速度での記録パワーは適正に求められているので、当該情報記録媒体のデータ領域全域に亘って記録品質を保って安全に記録することができ、ユーザデータのロストの可能性を低減させることができる。
【００２５】
請求項２，７，１２，１６記載の発明によれば、所定の線速度として、当該情報記録装置における線速度一定方式での最大線速度を用いることで、ユーザデータのロストの可能性を低減させつつ、より高速な記録処理が可能となり、ユーザの利便性の低下も抑制できる。
【００２６】
請求項３，８，１３，１６記載の発明によれば、例えば、ＤＶＤ系の媒体の場合にはＺＣＬＶ方式やＣＡＶ方式では充分な記録品質が得られない場合が多いのに対して、ＣＤ系の媒体ではパワーマージンが広く一概にこのような不具合を生じない点に着目し、未知の媒体であっても、その媒体の種類によっては当該媒体種類により決定される記録方式における最大記録速度で回転させる方式で記録させることにより、パフォーマンスがよい条件で記録を行わせることができ、記録時間を短縮させることができ、ユーザの利便性の低下を抑制できる。
【００２７】
請求項４，９，１４，１６記載の発明によれば、未知の媒体の場合に媒体の種類によらず一律に線速度一定方式で記録させるとユーザの利便性が過度に低下してしまう懸念があるが、記録の品質重視か記録速度重視かをユーザが選択することができ、ユーザの利便性を向上させることができる。
【００２８】
請求項５，１０，１５，１６記載の発明によれば、未知の媒体の場合に媒体の種類によらず一律に線速度一定方式で記録させるとユーザの利便性が過度に低下してしまう懸念があるが、記録の品質重視か記録速度重視かの選択情報をユーザが予め設定登録しておくことにより、記録の品質重視か記録速度重視かを選択させることができ、このためにも毎回の操作を要せず煩わしさを感ずることなく、ユーザの利便性を向上させることができる。
【発明を実施するための最良の形態】
【００２９】
本発明を実施するための最良の形態を図面に基づいて説明する。
【００３０】
図１は本実施の形態の情報記録装置としての光ディスク装置を含む情報処理システムの概略構成を示すブロック図である。本実施の形態の情報処理システム１は、ＣＤ／ＤＶＤ用の光ディスク装置（光ディスクドライブ）２と、この光ディスク装置２を制御するホスト３とを含む構成とされている。
【００３１】
まず、光ディスク装置２の制御系のハードウェア構成例について説明する。この光ディスク装置２は、情報記録媒体である光ディスク４を回転駆動するためのスピンドルモータ５、光ピックアップ装置６、レーザコントロール回路７、エンコーダ８、モータドライバ９、再生信号処理回路１０、サーボコントローラ１１、バッファＲＡＭ１２、バッファマネージャ１３、インターフェース１４、フラッシュメモリ１５、ＣＰＵ１６及びＲＡＭ１７などを備えている。なお、図１における接続線は、代表的な信号や情報の流れを示すものであり、各ブロックの接続関係の全てを表すものではない。
【００３２】
光ピックアップ装置６は、光ディスク４のスパイラル状又は同心円状のトラックが形成された記録面にレーザ光を照射するとともに、記録面からの反射光を受光するための装置である。この光ピックアップ装置６は、ＤＶＤ系ディスクに対する記録又は再生用の波長６６０ｎｍのレーザ光を照射する半導体レーザＬＤを含む第１の光源ユニット及びＣＤ系のディスクに対する記録又は再生用の波長７８０ｎｍのレーザ光を照射する半導体レーザＬＤを含む第２の光源ユニット、コリメートレンズ、ビームスプリッタ、対物レンズ、検出レンズ、光検出器としての受光器、及び駆動系（フォーカシングアクチュエータ、トラッキングアクチュエータ及びシークモータ）（何れも図示省略）などを備えている公知の光ピックアップ装置である。
【００３３】
なお、本実施の形態では説明の簡単のため光ディスク装置２で使用される記録可能な光ディスク４の種類としてＣＤ−Ｒ、ＤＶＤ−ＲＷ、ＤＶＤ＋Ｒ、ＤＶＤ＋ＲＷの場合について説明する。しかしながら、本発明が適用される光ディスク（情報記録媒体）はこれらに限られず、ＤＶＤ−ＲやＤＶＤ−ＲＷ、ＤＶＤ−ＲＯＭ等他の記録可能な光ディスクや６６０ｎｍよりもさらに短い波長（例えば４０５ｎｍ）により情報の記録を行う光ディスクであってもよい。
【００３４】
記憶媒体としても機能するフラッシュメモリ１５は、プログラム領域とデータ領域とを備えており、プログラム領域には、ＣＰＵ１６により解読可能なコードで記述された情報記録用プログラムが格納されている。また、データ領域には、半導体レーザＬＤの発光特性に関する情報、光ピックアップ装置６のシーク動作に関する情報（以下「シーク情報」ともいう）、及びゾーンＣＬＶ（ＺＣＬＶ）方式で記録を行う場合のゾーン切換え情報やＣＡＶ方式の記録パワー変更に関する情報等の記録条件、及び光ディスク４の製造又は販売業者（ベンダ）毎の推奨パワーや記録パルスのパターンを規定してテーブルなどが格納されている。なお、当該光ディスク装置２の電源が投入されると、フラッシュメモリ１５に格納されている情報記録用プログラムは、ＣＰＵ１６のメインメモリ（図示せず）にロード（インストール）される。
【００３５】
モータドライバ９はＣＰＵ１６からの指令に基づいてスピンドルモータ５の回転を制御する。
【００３６】
バッファＲＡＭ１２は、光ディスク４に記録するデータ（記録用データ）及び光ディスク４から再生したデータ（再生データ）などが一時的に格納されるバッファ領域と、各種プログラム変数などが格納される変数領域とを有している。
【００３７】
バッファマネージャ１３は、バッファＲＡＭ１２へのデータの入出力を管理する。そして、バッファ領域に蓄積されたデータ量が所定量になるとＣＰＵ１６に通知する。
【００３８】
エンコーダ８は、ＣＰＵ１６の指示に基づいて、バッファＲＡＭ１２に蓄積されている記録用データをバッファマネージャ１３を介して取り出し、データ変調及びエラー訂正コードの付加などを行い、光ディスク４への書込み信号を生成する。ここで生成された書込み信号はレーザコントロール回路７に出力される。
【００３９】
レーザコントロール回路７は、半導体レーザＬＤの発光特性及びエンコーダ８からの書込み信号などに基づいて半導体レーザＬＤの駆動信号を生成する。即ち、光ディスク４に照射するレーザ光のパワーを制御する。光ディスク４上に情報を記録する場合には、２以上の異なるレーザパワーをパルス状に出力させることとなる。光ディスク装置２は情報を記録するに先立ち、光ディスク４の所定の試し書きエリア（ＰＣＡ）で、レーザ光のパワーを何段階かに切換えながら試し書きを行う（ＯＰＣ処理）。そして、試し書きが行われた領域を再生して情報の記録に最適なレーザ光のパワーの調整・設定を行う。また、記録パワーでレーザ光を発光している間に受光器で検出される光量レベルが、目標とするレーザパワーで半導体レーザＬＤを発光させたときに受光器で検出される光量レベルになるように半導体レーザＬＤの駆動信号を微調整する、いわゆるランニングＯＰＣ（Ｒ−ＯＰＣ）も行われる。
【００４０】
インターフェース１４は、ホストとの双方向の通信インターフェースであり、一例としてＡＴＡＰＩ（AT Attachment Packet Interface）の規格に準拠している。
【００４１】
一方、ホスト３は、主制御装置２１、インターフェース２２、記録装置（ＨＤＤ）２３、入力装置２４及び表示装置２５などを備えている。主制御装置２１は、マイクロコンピュータ、メインメモリ（何れも不図示）などを含んで構成され、ホスト３の全体を制御する。
【００４２】
インターフェース２２は、光ディスク装置２との双方向の通信インターフェースであり、ＡＴＡＰＩ等の標準インターフェースに準拠している。インターフェース２２は光ディスク装置２のインターフェース１４と接続されている。なお、各インターフェース１４，２２間の接続形態は、通信ケーブルなどの通信線を用いたケーブル接続だけでなく、赤外線などを利用したワイヤレス接続であっても良い。
【００４３】
記録装置（ハードディスクドライブＨＤＤ）２３には、主制御装置２１のマイクロコンピュータで解読可能なコードで記述されたプログラムが格納されている。なお、ホスト３の駆動電源がオン状態になると、上記プログラムは主制御装置２１のメインメモリにロードされる。
【００４４】
表示装置２５は、例えばＣＲＴ、液晶ディスプレイ（ＬＣＤ）或いはプラズマディスプレイパネル（ＰＤＰ）などの表示部（図示省略）を備え、主制御装置２１からの各種情報を表示する。
【００４５】
入力装置２４は、例えばキーボード、マウス或いはポインティングデバイスなどのうち少なくとも１つの入力媒体（図示省略）を備え、ユーザから入力された各種情報を主制御装置２１に通知する。なお、入力媒体からの情報はワイヤレス方式で入力されても良い。また、表示装置２５と入力装置２４とが一体化したものとして、例えばタッチパネル付きＣＲＴなどがある。
【００４６】
また、ホスト３はオペレーティングシステム（ＯＳ）を搭載している。そして、ホスト３を構成する全てのデバイスはＯＳによって管理されているものとする。
【００４７】
図２及び図３は、光ディスク４の種類及び各ベンダ（販売業者）毎に登録された記録条件を示すテーブル３１である。このテーブル３１は予め測定した値であり、光ディスク装置２の出荷前に記憶部としてのフラッシュメモリ１５内に格納されている。なお、出荷後に新たなテーブル３１を更新するものであってもよい。
【００４８】
一例として、本実施の形態の場合には、光ディスク（メディア）４の種類としては、上述したようにＣＤ−Ｒ、ＣＤ−ＲＷ、ＤＶＤ＋Ｒ、ＤＶＤ＋ＲＷに分類される例を説明する。光ディスク４がＣＤ−Ｒの場合、フラッシュメモリ１５に格納済みのベンダはＡ，Ｂ，Ｃ，…であり、推奨される記録方式は各々ＺＣＬＶ，ＣＡＶ，ＣＡＶ，…となる。なお、記録方式は付随的な情報であり、当該テーブル３１が必ずしも持っていなくてはならない情報ではない。また、各々のベンダに対する記録線速度毎（速度１＜速度２＜速度３＜…）の推奨されるパルスパターンや記録パワーも格納されている。パルスパターンは、いわゆる記録ストラテジのパターンであり、２つ以上の異なるレーザパワー及びそれらのパワーの発光時間から構成されるものである。
【００４９】
また、使用する光ディスク４のベンダ情報が取得できない場合や取得したベンダ情報がテーブル３１にない場合に使用するためのディフォルトの値を有している。本実施の形態の場合、ディフォルトのときには推奨の記録方式としてＣＡＶ方式を採用しているが、これに限らず、ＺＣＬＶ方式でもＣＬＶ方式であってもよい。
【００５０】
光ディスク４がＣＤ−ＲＷの場合もＣＤ−Ｒと同様に各ベンダ毎に各記録線速度毎の推奨パルスパターンや記録パワーがテーブル３１（図２参照）に格納されており、ディフォルトも格納している。なお、ＣＤ−ＲＷでは光ディスク装置２がＣＡＶ記録に対応できない場合があるので、本実施の形態では推奨される記録方式としてはＺＣＬＶ又はＣＬＶ方式となっている。しかしながら、これに限らず装置がＣＡＶ方式により記録可能であればＣＡＶ方式としてもよい。また、ディフォルトの推奨記録方式はＺＣＬＶ方式となっているが、これに限らず、可能であればＣＡＶ方式であってもよく、ＣＬＶ方式であってもよい。
【００５１】
光ディスク４がＤＶＤ＋ＲやＤＶＤ＋ＲＷの場合もＣＤ−ＲＷと同様に各ベンダ毎に各記録線速度毎の推奨パルスパターンや記録パワーがテーブル３１（図３参照）格納されている。ＤＶＤ系ではＣＤ−ＲＷと同様に光ディスク装置２がＣＡＶ記録に対応できない場合があるので、本実施の形態では推奨される記録方式としてはＺＣＬＶ又はＣＬＶ方式となっている。しかしながら、これに限らず装置がＣＡＶ方式により記録可能であればＣＡＶ方式としてもよい。また、ディフォルトの推奨記録方式はＣＬＶ方式となっているが、これに限らず、可能であればＣＡＶ方式であってもよく、ＺＣＬＶ方式であってもよい。
【００５２】
このような構成において、フラッシュメモリ１５のプログラム領域に格納されている情報記録用プログラムに従ってＣＰＵ１６により実行される記録動作時の記録条件設定処理例を図４に示すフローチャートを参照して説明する。
【００５３】
光ディスク４が光ディスク装置２に挿入されると、スピンドルモータ５により光ディスク４を回転させてフォーカス引き込み等の通常のマウント処理を行う（ステップＳ１）。
【００５４】
ここで、本実施の形態では、まず、波長が６６０ｎｍのレーザ（第１の光源ユニット）を使用し、正常にフォーカスが入るか否かを判定する。フォーカスが正常に入るとはフォーカスエラー信号のレベルがある一定の閾値を超えたか否かで判定すればよい。ここで、フォーカスが正常にＯＮすれば、光ディスク４はＤＶＤ＋ＲかＤＶＤ＋ＲＷのＤＶＤ系のディスクと判定される。そして、ＤＶＤ系と判定された場合には、反射率差（ＤＶＤ＋Ｒ：４５〜８０％、ＤＶＤ＋ＲＷ：１８〜３０％）を利用してＤＶＤ＋ＲとＤＶＤ＋ＲＷとの何れであるかを判別する。判別法はこれに限らず、ディスクの情報トラックを構成する蛇行した溝（ウォブル）に予め記録されているＡＤＩＰ（Address in Pre-groove）情報からディスクを判別するなどの公知の方法がある（もちろん、光ディスク４がＤＶＤ−ＲＯＭやＤＶＤ−Ｒ／ＲＷ等のディスクであることも考えられるが、簡単のためここではそれらとの判別方法は省略する）。
【００５５】
波長が６６０ｎｍのレーザでフォーカスが正常にＯＮしない場合には、波長が７８０ｎｍのレーザ（第２の光源ユニット）を使用する。そして、反射率差（ＣＤ−Ｒ：６５％以上、ＣＤ−ＲＷ：１５〜２５％）を利用してＣＤ−ＲとＣＤ−ＲＷとの何れであるかを判別する。判別法はこれに限らず、ディスクの情報トラックを構成する蛇行した溝（ウォブル）に予め記録されているＡＴＩＰ（Absolute Time in Pre-groove）情報からディスクを判別するなどの公知の方法がある（もちろん、光ディスク４がＣＤ−ＲＯＭであることも考えられるが、簡単のためここではそれとの判別方法は省略する）。即ち、マウント処理（Ｓ１）に引き続き、或いはマウント処理と並行して光ディスク装置２に挿入された光ディスク４の種類の判別を行う（Ｓ２）。
【００５６】
光ディスク４の種類を判別すると、ＡＤＩＰ又はＡＴＩＰ情報からその光ディスク４のベンダに関する情報を取得し、それをＲＡＭ１７に格納する（Ｓ３）。なお、情報が取得できない場合には、取得不可の情報をＲＡＭ１７に格納する。
【００５７】
次に、フラッシュメモリ１５のデータ領域にあるテーブル３１（図２及び図３参照）を検索する（Ｓ４）。
【００５８】
そして、ステップＳ２で判定した光ディスク４の種類に対応したＲＡＭ１７に格納しているベンダ情報がテーブル３１に存在するか判定する（Ｓ５）。このステップＳ５の処理が判定工程、判定手段、判定機能として実行される。
【００５９】
テーブル３１に存在すると判定された場合（Ｓ５のＹ）、当該ベンダ情報に対応する次（ステップ７）のＯＰＣ処理を行う線速度（通常はユーザデータの記録を開始するときの所定の線速度、本実施の形態では当該装置におけるＣＬＶ方式での最大線速度）でのパルスパターン及び推奨される記録パワーを使用するようにレーザコントロール回路７等を設定する。ここで、パルスパターンか推奨記録パワーか一方しかテーブルに存在しない場合にはそれらの一方を設定し、他方はディフォルトの値を使用する（Ｓ６）。
【００６０】
ＣＰＵ１６は、ステップＳ６により設定された推奨記録パワーを中心にしてレーザパワーを切換えながら、ＯＰＣ処理を行うよう光ディスク装置２の各部に指令を出す。そして、ＯＰＣを実行し、最適な記録パワーを求める（Ｓ７）。
【００６１】
ＯＰＣにより最適記録パワーを求めると、ステップＳ２で判定された光ディスク４の種類及びステップＳ５で判定されたベンダに関する情報によって決定される記録方式における最高速度で記録が行えるようサーボコントローラ１１や再生信号処理回路１０、エンコーダ８、レーザコントロール回路７等の設定を行う（Ｓ８）。ここで、最高速度で記録するとは、ベンダ情報により特定される光ディスク４に対して記録品質及び記録時間を考慮して予め設定された記録条件により情報の記録を行うことをいう。即ち、パフォーマンスが一番よいと考えられる条件で記録を行うことを示す。
【００６２】
なお、各光ディスク４の種類・ベンダ情報に対応する、ＺＣＬＶ方式での速度切換え位置や最大速度等の記録条件は図２及び図３に示したようなテーブル３１に格納されている。例えば、今、ベンダ情報がベンダＢを示す情報である場合には、ＣＡＶ方式で記録品質を確保できる最大の記録速度をもって記録を行う。
【００６３】
なお、ベンダ情報により光ディスク４の種類までも一意的に特定できる場合には、本ステップではステップＳ２で判定された光ディスク４の種類まで考慮しなくてもよい。また、テーブル３１が推奨される記録方式を格納していない場合、ＣＰＵ１６は光ディスク４の種類により予め決定されている記録方式により記録を行うように設定を行う。さらに、ステップＳ７を行う前にステップＳ８の処理を行うものであってもよい。この処理を行うことにより記録条件の設定処理は終了する。
【００６４】
一方、ステップＳ５の処理で対応するベンダ情報がテーブル３１に存在しないか、若しくはＲＡＭ１７に格納されているベンダ情報がベンダ情報取得不可の場合、光ディスク４のＡＤＩＰ又はＡＴＩＰに記録されている当該光ディスク４に関する情報から決定される推奨記録パワー及び存在する場合にはパルスパターンによりＯＰＣを行うようレーザコントロール回路７等を設定する。ＡＤＩＰ又はＡＴＩＰからの情報を取得できない、又は使用しない場合には、ＣＰＵ１６は、光ディスク４の種類に対応してテーブル３１に格納されているディフォルト値を使用してＯＰＣを行う場合の推奨記録パワー及び存在する場合にはパルスパターンを設定する（Ｓ９）。なお、ＯＰＣを行う線速度としては光ディスク４の種類に対応して予め設定されている所定の線速度（本実施の形態の場合、前述のようにＣＬＶ方式での最大線速度）とする。
【００６５】
ＣＰＵ１６は、ステップＳ９により設定された推奨記録パワーを中心にしてレーザパワーを切換えながら、ＯＰＣ処理を行うよう光ディスク装置２の各部に指令を出す。そして、ＯＰＣを実行し、最適な記録パワーを求める（Ｓ１０）。１回のＯＰＣ処理により最適記録パワーが求められなかった場合には、線速度を低下させて再度ＯＰＣ処理を行い、最適記録パワーを求めるようにする。ステップＳ７，Ｓ１０の処理が試し書き処理工程、試し書き処理手段、試し書き処理機能として実行される。
【００６６】
次に、その光ディスク４がディスクの酒類としてＣＤ系のディスク（ＣＤ−Ｒ又はＣＤ−ＲＷ）かＤＶＤ系のディスク（ＤＶＤ＋Ｒ、ＤＶＤ＋ＲＷ）かをステップＳ２の結果に基づき判定する（Ｓ１１）。ステップＳ２，Ｓ１１の処理が媒体種類判定工程、媒体種類判定手段、媒体種類判定機能として実行される。
【００６７】
光ディスク４の種類がＤＶＤ系のディスクである場合、ステップＳ１０のＯＰＣ処理で最適記録パワーを求めたときの所定の線速度を用いてＣＬＶ方式の記録を行うようサーボコントローラ１１や再生信号処理回路１０、エンコーダ８、レーザコントロール回路７等の設定を行う（Ｓ１２）。このステップＳ１２の処理が記録条件設定工程、記録条件設定手段、記録条件設定機能として実行される。これにより、テーブル３１に記録条件などが予め登録されていない未知の光ディスク４に対してもデータ記録領域全てに渡って記録品質を保って安全に記録を行うことができる。この処理を行うことにより記録条件の設定処理は終了する。
【００６８】
一方、ステップＳ１１で光ディスク４の種類がＣＤ系のディスクであると判定された場合、当該光ディスク４の種類によって予め決定されている記録方式（例えば、ＣＤ−Ｒの場合にはＣＡＶ方式、ＣＤ−ＲＷの場合にはＺＣＬＶ方式）により最高速度で記録を行うようにレーザコントロール回路７等を設定する（Ｓ１３）。即ち、パフォーマンスが一番よいと考えられる条件で記録を行う。これにより、ベンダ情報を有しておらず未知であっても、記録パワーマージンが広く、記録不良となりにくい光ディスク４に対しては記録時間を短縮することができる。ステップＳ１２，Ｓ１３の処理が選択設定工程、選択設定手段、選択設定機能として実行される。この処理を行うことにより記録条件の設定処理は終了する。
【００６９】
ここで、ＣＤ系ディスクの場合に、ＯＰＣ時の線速度でのＣＬＶ方式とせずに、予め決定されている記録方式により最高速度で記録を行う理由について、図５及び図６を参照して説明する。まず、ＣＤ系／ＤＶＤ系のように２種類以上の光ディスク４に対して記録を行う光ディスク装置２では、図５に示すように、光ディスク４の種類によって正常に記録を行うことのできるパワーの幅、いわゆるパワーマージンが媒体の種類毎に異なる。例えば、図５に示すようにCD系のパワーマージンはDVD系に比べて十分に広い。即ち、最適記録パワーで記録された場合のジッタ値をボトムレベル、再生互換性等により決定される必要な記録品質を確保するための閾値をスレッシュレベルとすると、ボトムレベルからスレッシュレベルまでにあるパワーで情報を記録した場合、情報の再生が可能となるものであり、図５から判るように、このパワーの余裕（マージン）はＣＤ系に比べてＤＶＤ系の方が狭くなっている。
【００７０】
ここで、図６に示すように、パワーマージンが狭い光ディスク４（ここでは、ＤＶＤ系）では前述のようにＣＡＶ方式やＺＣＬＶ方式で十分な記録品質が得られない場合が多いが、パワーマージンの広い光ディスク４（ここでは、ＣＤ系）では一概にそのようにならない。即ち、図６はＣＤ系のパワーマージンとＤＶＤ系のパワーマージンと最適記録パワーと実際の記録パワーとの関係を示しているが、例えば、実際の記録パワーが図示のように変化した場合、記録パワーがパワーマージンを超えた領域で記録が行われたデータは再生不可能なデータとなってしまう。この場合、ＤＶＤ系の方がＣＤ系に比べてパワーマージンが狭いので、記録パワーが最適記録パワーから少し外れただけで再生不可能となりやすいことが判る。
【００７１】
このため、光ディスク４の種類に依らず一様にＣＬＶ方式で記録を行うと、ユーザの利便性を過度に低下させてしまう、この点、本実施の形態を用いることにより、ＣＤ系に対してはユーザの利便性の低下を抑えてデータロストの可能性を低減させることが可能となる。
【００７２】
本実施の形態では、ＣＤ系とＤＶＤ系との２種類の例として示すが、２種類以上の光ディスク４に記録可能であり、そのパワーマージンが異なる光ディスク４であれば適用可能である。例えば、追記型(Recordable media)と書換型(ReWritable Media)の情報記録媒体でもパワーマージンが異なる。
【００７３】
なお、ＣＤ系、ＤＶＤ系に拘らず、ステップＳ１２の処理を行う場合には、ステップＳ１０の処理の次の処理としてステップＳ１２を行うようにすれば良い。即ち、ステップＳ１１，Ｓ１３を省略してもよい。
【００７４】
フラッシュメモリ１５のプログラム領域に格納されている情報記録用プログラムに従ってＣＰＵ１６により実行される記録動作時の別の記録条件設定処理例を図７に示すフローチャートを参照して説明する。この設定処理例では、図４に示したステップＳ１１の処理に代えて、ステップＳ１４，Ｓ１５の処理を行なわせるようにしたものである。従って、図４で説明したステップＳ１〜Ｓ１０の処理は、図４の場合と同様のためこれらの詳細説明は省略する。
【００７５】
ステップＳ１０の次に、ＣＰＵ１６は、ホスト３を通じてユーザに記録条件の問い合わせを行う（Ｓ１４）。例えば、記録の品質重視か記録速度重視かについてユーザに問い合わせ、ユーザの選択を待つ。
【００７６】
ユーザが記録速度重視等最高速度で記録を行うことを選択したか否かを判定する（Ｓ１５）。ステップＳ１５の次処理は図４のフローチャートの場合と略同様であるが、念のため説明する。
【００７７】
ステップＳ１５で記録速度重視等を選択した場合（即ち、最高記録速度で記録を行うことを選択した場合）、ＣＰＵ１６は、光ディスク４の種類によって予め決定されている記録方式（例えば、ＣＤ−Ｒの場合にはＣＡＶ方式、ＣＤ−ＲＷの場合にはＺＣＬＶ方式、ＤＶＤ＋Ｒ及びＤＶＤ＋ＲＷの場合にはＣＬＶ方式）により最高速度で記録を行うようにレーザコントロール回路７等を設定する（Ｓ１３）。即ち、パフォーマンスが一番よいと考えられる条件で記録を行う。この処理を行うことにより記録条件の設定処理は終了する。
【００７８】
一方、ステップＳ１５で記録品質重視等を選択した場合（即ち、最高記録速度で記録を行うことを選択しなかった場合）、ＣＰＵ１６は、ステップＳ１０のＯＰＣ処理で最適記録パワーを求めたときの所定の線速度を用いてＣＬＶ方式の記録を行うようサーボコントローラ１１や再生信号処理回路１０、エンコーダ８、レーザコントロール回路７等の設定を行う（Ｓ１２）。これにより、テーブル３１に記録条件などが予め登録されていない未知の光ディスク４に対してもデータ記録領域全てに渡って記録品質を保って安全に記録を行うことができる。この処理を行うことにより記録条件の設定処理は終了する。
【００７９】
なお、ステップＳ１４の処理はステップＳ１０の次に行う必要はなく、ステップＳ９の前後に行っても良い。
【００８０】
前述のように未知な光ディスク４に対してＣＡＶ方式やＺＣＬＶ方式で記録を行う場合、データロストの可能性があるが、例えば、同一の光ディスク４（未知）をユーザが大量に購入した場合を考える。このとき、１枚の光ディスク４に対して最高速度で記録が正常に行えれば残りの光ディスク４に対しても正常に記録を行うことができる可能性が高い。このような場合、未知の光ディスク４であるからといって、一様にＣＬＶ方式で記録を行うと、ユーザの利便性を過度に低下させてしまう。この点、図７に示す設定処理例のように、記録を行うときにユーザが最高速度による記録かCLV方式による記録かを選択自在とすることで、例えば、ユーザは１枚目の光ディスク４に対して最高速度での記録を選択し、そこで正常な記録が行えた場合は、残りの同一の光ディスク４に対しては毎回最高速度での記録を選択操作することで利便性を享受できる。つまり、この設定処理例によれば、ユーザの利便性の低下を抑えてデータロストの可能性を低減させることが可能となる。
【００８１】
フラッシュメモリ１５のプログラム領域に格納されている情報記録用プログラムに従ってＣＰＵ１６により実行される記録動作時のさらに別の記録条件設定処理例を図８に示すフローチャートを参照して説明する。この設定処理例では、図７に示したステップＳ１４，Ｓ１５の処理に代えて、ステップＳ１６，Ｓ１７の処理を行なわせるようにしたものである。
【００８２】
ステップＳ１０の次に、ＣＰＵ１６は、事前に設定されたユーザ設定を参照する（ステップＳ１６）。ユーザ設定は本処理が行われるまでにホスト３を介して当該光ディスク装置２の記録条件を設定するもので、設定時のホスト３の表示装置２５上の表示例としては図９のようになる。
【００８３】
次に、光ディスク４の種類に対応したユーザ設定が最高速度で記録を行う設定となっているかどうか判定する（Ｓ１７）。図９に示す例によると、ＤＶＤ＋ＲのみステップＳ１２の処理（ＯＰＣ時の線速度でＣＬＶ記録を行う処理）を行うこととなり、その他の光ディスク４の場合にはステップＳ１３の処理を行うこととなる。
【００８４】
即ち、当該光ディスク装置２のメモリマップに登録されていない未知の光ディスク４の場合、図７に示した例では、記録を行う毎にユーザが最高速度での記録とＣＬＶ方式での記録とを選択操作する必要があるが、図８に示す設定処理例では、予めユーザが何れを選択するかを設定登録しておけば、その後は、その設定された選択情報を参照して記録速度を決定することができる。この設定は、例えば図９に示すような表示装置２５等のインターフェースを用いてユーザが適宜編集でき、工場出荷時は推奨値が選択情報として設定されていることとなる。これにより、ユーザは煩わしさを感じることなく、利便性を享受してデータロストの可能性を低減させることが可能となる。
【図面の簡単な説明】
【００８５】
【図１】本発明の一実施の形態の光ディスク装置を含む情報処理システムの概略構成を示すブロック図である。
【図２】ベンダ毎の記録方式等の登録例を示すテーブルの説明図である。
【図３】ベンダ毎の記録方式等の登録例を示すテーブルの説明図である。
【図４】記録条件設定処理の一例を示すフローチャートである。
【図５】ＣＤ系とＤＶＤ系とのパワーマージンの違いを示すパワー−ジッタ特性図である。
【図６】ＣＤ系とＤＶＤ系とのパワーマージンの違いに起因する再生不良を説明するための特性図である。
【図７】記録条件設定処理の別の例を示すフローチャートである。
【図８】記録条件設定処理のさらに別の例を示すフローチャートである。
【図９】ユーザ設定ウインドウ例を示す正面図である。
【図１０】ＣＬＶ，ＺＣＬＶ，ＣＡＶ方式に関する説明図である。
【符号の説明】
【００８６】
４      情報記録媒体
１５      記憶部
【図１】
2005149597.tif 000003
【図２】
2005149597.tif 000004
【図３】
2005149597.tif 000005
【図４】
2005149597.tif 000006
【図５】
2005149597.tif 000007
【図６】
2005149597.tif 000008
【図７】
2005149597.tif 000009
【図８】
2005149597.tif 000010
【図９】
2005149597.tif 000011
【図１０】
2005149597.tif 000012